(57)【要約】【課題】ケーブルシース引裂き後に、ケーブルコアが片方のシースに埋没したりしても、ケーブルコアを確実に容易にかつ安全に取出すことができるケーブル構造を提供する。【解決手段】ケーブルコアの一例である光コード４の外周に線条体８による粗巻きを施し、その外側にシースを設けることにより、シース引裂き後、シース６に嵌っている光コード４の外面には粗巻きされた線条体８の一部が間欠的に露出するため、この線条体８を爪などで少しづつ摘み出し緩ませた後、線条体８を指で掴んで光コード４の一部をシース６から引っ張り出せば、この後は指によって連続的に光コード４をシース６から外していくことが容易になる。【選択図】　　　　図２
2004020885.tif 000002
【特許請求の範囲】
【請求項１】
ケーブルコアの外周に線条体による粗巻きが施されその外側にシースが設けられたことを特徴とする光ファイバケーブル。
【請求項２】
ケーブルコアの両側に該ケーブルコアより所定間隔を隔てて設けられたテンションメンバと、ケーブルコアの、それぞれの中心線は、一平面上に平行に同一シース内に配置されている請求項１に記載の光ファイバケーブル。
【請求項３】
シースを引裂くためのノッチがシース表面に刻設されている請求項１または２に記載の光ファイバケーブル。
【請求項４】
シースを引裂くための引裂き紐がシース内に配置されている請求項１または２に記載の光ファイバケーブル。
【発明の詳細な説明】
【０００１】
【発明の属する技術分野】
本発明は光ファイバケーブルの構造に関し、特にシースを分割した後に、中身のケーブル芯（ケーブルコアと称す）を取出し易くしたケーブルに関する。
【０００２】
【従来の技術】
光ケーブルの端末にコネクタを取付ける時、或いは布設したケーブルを機器に繋ぐ時、ケーブルのシースを剥いでケーブルコアを取出し易くするため、シースにノッチを入れたり、シース内側に引裂き紐を入れたりしてケーブルシースを二つに引裂き易くしたケーブルは従来から公知であり、多用されてきた。しかし、これらによりシースを引裂いても、シースが非対称に裂けたりすると、ケーブルコアが片方のシースに埋没したりして、取出せなくなったり或いは非常に取出し難くなることが多い。このようなとき、特にシースとケーブルコアの密着が強くてこれらの間の摩擦が大きい場合、ケーブルコアを無理に取出そうとすると、内部の光ファイバや、その被覆等に損傷を与える危険があった。
【０００３】
図７を参照して、この問題を具体的に説明する。図７（ａ）は、ターミネーションケーブルの一例の断面構造図である。ケーブルコアである光コード４とその両側のテンションメンバ５の、それぞれの中心線は同一平面に平行に並んで、これらが一括してシース６中に埋め込まれている。なお、光コード４は、直径０．２５ｍｍの光ファイバ心線１とこれを包囲する抗張力性繊維２とその外側のプラスチック被覆３で構成されており、その直径は１．５ｍｍである。テンションメンバ５は、直径０．４ｍｍの鋼線または繊維強化プラスチックである。プラスチック被覆３とシース６は、難燃ポリエチレンまたはポリ塩化ビニールで、光コードをはさんで対向するシースの表面には切り裂き用のノッチ７が設けられている。ターミネーションケーブルの断面の寸法は幅が約４．３ｍｍ厚さが約２．６ｍｍである。
【０００４】
ノッチ７を利用して、ここからシース６を手で裂くなどしてシースを二分割し、中から光コード４を取出すのであるが、シースの二分割が理想的な対称性を持たない場合、光コード４の取出しが極めて困難になる。図７（ｂ）は、そのような不適当な分割の例で、分割後に光コード４は、その断面円周の大半がシース６の一方に埋もれる形になって、取出しができないか取出しが極めて困難な状態になる。このような、光コードがシースの一方に埋没するのは特殊な場合ではなく、むしろ一般的な場合といえる。
【０００５】
【発明が解決しようとする課題】
本発明は、このような従来のケーブルの持つ欠点を解消するもので、たとえシースが非対称に裂けて、ケーブルコアが片方のシースに埋没したりしても、ケーブルコアは全く問題なく取出せるケーブル構造を提供するものである。
【０００６】
【課題を解決するための手段】
本発明は、ケーブルコアの外周に線条体による粗巻きが施されその外側にシースが設けられたことを特徴とするもので、シースが非対称に裂けて、ケーブルコアが片方のシースに埋没したりしても、ケーブルコア側面に出ている粗巻きを掴んでケーブルコアを引張り出すことができるものである。また、この線条体の粗巻きは、シースとケーブルコアの密着を防ぎこれらの間の摩擦を小さくすることにも寄与する。
【０００７】
【発明の実施の形態】
本発明において、粗巻きに用いる線条体としては、ケブラー（登録商標）糸、ポリエステル紐、木綿糸、ナイロン糸等が適する。糸や紐以外では細幅のテープ例えばポリエステルテープ等を用いても良い。
【０００８】
図１は前記のターミネーションケーブルに本発明を適用したケーブルの構造を示す断面図で、図１（ａ）はシース引裂き前、図１（ｂ）はシース引裂き後を示す。図７と同じ符号は同じ部位を表し説明を省略する。図７と異なるのは図１のケーブルでは光コードが線条体８によって粗巻きされているところのみである。粗巻きとは、線条体の太さ或いは幅の数倍以上の大きな周期で線条体を螺旋条に巻くことを言う。したがって線条体と接触していないケーブルコアの表面積は、それらが接触している面積に比べてはるかに大きい。本発明のケーブルの断面図においては、線条体８が粗巻きされている状態を点線で示す。粗巻きする線条体の本数は１本か２本が適当である。
【０００９】
シース引裂き後を示す図１（ｂ）のうち、光コードが在る側の部分の斜視図を図２（ａ）に示す。図における符号の意味は図１と同じである。この図に示すように、シース６に嵌っている光コード４の、シース６の裂け目に現れる外面には、粗巻きされた線条体８の一部が粗巻きの周期と等しい間隔で露出するため、この線条体を爪などで少しづつ摘み出してある程度緩ませれば、線条体８は指で掴むことができ、これを引張って図２（ｂ）のような状態にすれば、この後は指によって連続的に容易に光コード４をシース６から外していくことができる。
【００１０】
図１は、シース６にノッチ７が設けられ、最初にこのノッチを手がかりにシースを引裂くものであるが、ノッチが無くてその代わりに引裂き紐が設けられたケーブルにも本発明が同じように適用できる。図３は、そのようなターミネーションケーブルの構造を示す断面図で、図３（ａ）はシース引裂き前、図３（ｂ）はシース引裂き後を示す。図１と同じ符号は同じ部位を表し説明を省略する。図１と異なるのは図１のノッチ７が無くて、代わりにシース６の内側に引裂き紐９が設けられたところである。引裂き紐９は、粗巻きの線条体８の外側に、長手方向に直線的に配設される。ケーブルの端末において引裂き紐を掴み、これをシースの外側に引張ってシースを引裂くことができる。
【００１１】
引裂き紐９を用いてシース６を二分割して図３（ｂ）の状態になった場合、この後は図２で説明したとまったく同様に、光コード４をシース６から外していくことができる。
【００１２】
この他の本発明の実施形態の例を、図４、図５、図６に示す。これらの図において図１等と同じ符号は同じ部位を表すので説明を省略する。図４は、光ファイバ心線１を内在するインドアケーブルの断面図である。この場合、線条体８は、ケーブルコアである光ファイバ心線１に粗巻きされる。図５（ａ）は、光ファイバテープ心線１０を内在するインドアケーブルの断面図である。光ファイバテープ心線とは、複数本の光ファイバ心線を平行に並べて一括被覆したものである。この場合、線条体８は、ケーブルコアである光ファイバテープ心線１０に粗巻きされる。このタイプのケーブルはシース分割後、図５（ｂ）に示すように光ファイバテープ心線１０がシースに嵌って取り残され易いので、本発明は特に大きな効果を発揮する。図６は、多心の光ファイバユニット１１を内在するインドアケーブルの断面図である。この場合、線条体８は、ケーブルコアである光ファイバユニット１１に粗巻きされる。光ファイバユニット１１は、中心の抗張力体１２の周りに複数の光ファイバ心線１を撚り合せてその上に図示していない押え巻きまたは押出し被覆等が施されて構成されている。
【００１３】
【発明の効果】
本発明は以上に述べた通りであるので、ケーブルシース引裂き後に、ケーブルコアが片方のシースに埋没したりしても、粗巻きされた線条体の露出した箇所を摘み出すことによって、ケーブルコアを確実に容易にかつ安全に取出すことができるので、作業性上および品質上の効果が大きい。
【図面の簡単な説明】
【図１】本発明のケーブルの構成例を示す断面図である。
【図２】本発明の作用を説明する、シース引裂き後のケーブルの斜視図である。
【図３】本発明の他の実施形態を示すケーブルの断面図である。
【図４】本発明の他の実施形態を示すケーブルの断面図である。
【図５】本発明の他の実施形態を示すケーブルの断面図である。
【図６】本発明の他の実施形態を示すケーブルの断面図である。
【図７】従来のケーブルの構成例を示す断面図である。
【符号の説明】
１：光ファイバ心線
２：抗張力性繊維
３：プラスチック被覆
４：光コード
５：テンションメンバ
６：シース
７：ノッチ
８：線条体
９：引裂き紐
１０：光ファイバテープ心線
１１：光ファイバユニット
１２：中心の抗張力体
【図１】
2004020885.tif 000003
【図２】
2004020885.tif 000004
【図３】
2004020885.tif 000005
【図４】
2004020885.tif 000006
【図５】
2004020885.tif 000007
【図６】
2004020885.tif 000008
【図７】
2004020885.tif 000009